(57)【要約】【課題】使用者の自然な行動から正確な使用者認証が可能な使用者認証装置を提供する。【解決手段】電子装置は手のひらが入力される立体形状のセンシング面を含む入力センシングモジュール及び使用者手のひら情報と前記入力センシングモジュールからセンシングされた入力手のひら情報を比較して基準個数以上の情報が一致する時、認証信号を出力する制御モジュールを含み、入力センシングモジュールは、フレキシブルベース部材、前記フレキシブルベース部材上に配置された複数個のセンシング電極及びフレキシブルベース部材上に配置され、前記センシング面を有し、複数個のセンシング電極を保護するフレキシブル保護部材を含むことができる。【選択図】図１
2017188091.tif 000002
【特許請求の範囲】
【請求項１】
手のひらが入力される立体形状のセンシング面を含む入力センシングモジュールと、
前記入力センシングモジュールからセンシングされた入力手のひら情報を使用者手のひら情報と比較して基準個数以上の情報が一致する時、認証信号を出力する制御モジュールと、を含む使用者認証装置。
【請求項２】
前記入力センシングモジュールは、
フレキシブルベース部材と、
前記フレキシブルベース部材上に配置された複数個のセンシング電極と、
前記フレキシブルベース部材上に配置され、前記センシング面を有し、前記複数個のセンシング電極を保護するフレキシブル保護部材と、を含む請求項１に記載の使用者認証装置。
【請求項３】
前記フレキシブルベース部材は、第１平均曲率を有する第１ベース部分及び前記第１平均曲率より小さい第２平均曲率を有する第２ベース部分を含み、
前記複数個のセンシング電極は、前記第１ベース部分に配置された第１センシング電極及び前記第２ベース部分に配置された第２センシング電極を含み、
前記第１センシング電極は、第１ピッチを有し、前記第２センシング電極は、前記第１ピッチより大きい第２ピッチを有することを特徴とする請求項２に記載の使用者認証装置。
【請求項４】
前記フレキシブル保護部材は、前記第１ベース部分に対応する第１保護部分及び前記第２ベース部分に対応する第２保護部分を含む請求項３に記載の使用者認証装置。
【請求項５】
前記複数個のセンシング電極は、前記手のひらに静電結合する請求項２に記載の使用者認証装置。
【請求項６】
前記複数個のセンシング電極の各々は、グラフェン、炭素ナノチューブ、金属ナノワイヤ、及び伝導性高分子の中でいずれか１つ以上を含む請求項５に記載の使用者認証装置。
【請求項７】
前記複数個のセンシング電極は、圧電物質（ｐｉｅｚｏ−ｅｌｅｃｔｒｉｃ  ｍａｔｅｒｉａｌｓ）、カーボンパウダー、ＱＴＣ（Ｑｕａｎｔｕｍ  Ｔｕｎｎｅｌｌｉｎｇ  Ｃｏｍｐｏｓｉｔｅ）、シルバーナノパーティクル、単結晶又は多結晶シリコン、及び電気活性高分子の中でいずれか１つ以上を含む請求項２に記載の使用者認証装置。
【請求項８】
前記フレキシブルベース部材及び前記フレキシブル保護部材の各々は、ポリジメチルシロキサンフィルム（ＰＤＭＳ、ｐｏｌｙｄｉｍｅｔｈｙｌｓｉｌｏｘａｎｅ）、プラスチックフィルム、自己復元フィルム、織物、及びレザーの中でいずれか１つ以上を含む請求項２に記載の使用者認証装置。
【請求項９】
前記制御モジュールは、
前記入力センシングモジュールから受信したセンシング信号から前記入力手のひら情報を生成する信号処理部と、
前記使用者手のひら情報を格納するメモリと、
前記使用者手のひら情報と前記入力手のひら情報を比較し、比較結果にしたがって前記認証信号を生成する情報判定部と、
前記認証信号を送信する認証信号伝送部と、を含む請求項１に記載の使用者認証装置。
【請求項１０】
前記使用者手のひら情報は、指長さ及び形状、ナックルの幅、手相（ｐａｌｍｌｉｎｅｓ）の形状及び長さ、ナックルの中で隣接するナックル間の長さ、及び指の中で隣接する指の対応するナックル間の連関関係を含む請求項９に記載の使用者認証装置。
【請求項１１】
入力センシングモジュールの立体形状のセンシング面に発生した使用者の手のひらによる入力をセンシングする段階と、
前記入力センシングモジュールからセンシングされた入力手のひら情報とメモリに既に格納された使用者手のひら情報とを比較する段階と、
前記使用者手のひら情報と前記入力手のひら情報とが基準個数以上一致する時、認証信号を生成する段階と、を含む使用者認証方法。
【請求項１２】
前記使用者手のひら情報は指長さ、手のひらの中で凹んだ部分の面積、ナックルの幅、手相の形状及び長さ、ナックルの中で隣接するナックル間の長さ、及び指の中で隣接する指の対応するナックル間の連関関係を含む請求項１１に記載の使用者認証方法。
【請求項１３】
外部の電子モジュールに前記認証信号を送信する段階をさらに含む請求項１１に記載の使用者認証方法。
【請求項１４】
フレキシブルベース部材と、
前記フレキシブルベース部材上に配置された複数個のセンシング電極と、
前記フレキシブルベース部材上に配置され、手のひらが入力される立体形状のセンシング面を有し、前記複数個のセンシング電極を保護するフレキシブル保護部材と、を含むセンシングモジュール。
【請求項１５】
前記フレキシブルベース部材は、第１平均曲率を有する第１ベース部分及び前記第１平均曲率より小さい第２平均曲率を有する第２ベース部分を含み、
前記複数個のセンシング電極は、前記第１ベース部分に配置された第１センシング電極及び前記第２ベース部分に配置された第２センシング電極を含み、
前記第１センシング電極は、第１ピッチを有し、前記第２センシング電極は、前記第１ピッチより大きい第２ピッチを有する請求項１４に記載の入力センシングモジュール。
【請求項１６】
前記保護部材は、前記第１ベース部分に対応する第１保護部分及び前記第２ベース部分に対応する第２保護部分を含む請求項１５に記載の入力センシングモジュール。
【請求項１７】
前記複数個のセンシング電極は、前記入力された手のひらと静電結合する請求項１４に記載の入力センシングモジュール。
【請求項１８】
前記複数個のセンシング電極の各々は、グラフェン、炭素ナノチューブ、金属ナノワイヤ、導電性繊維及び伝導性高分子の中でいずれか１つ以上を含む請求項１７に記載の入力センシングモジュール。
【請求項１９】
前記複数個のセンシング電極の各々は、圧電物質（ｐｉｅｚｏ−ｅｌｅｃｔｒｉｃ  ｍａｔｅｒｉａｌｓ）、カーボンパウダー、ＱＴＣ（Ｑｕａｎｔｕｍ  Ｔｕｎｎｅｌｌｉｎｇ  Ｃｏｍｐｏｓｉｔｅ）、シルバーナノパーティクル、単結晶又は多結晶シリコン、及び電気活性高分子の中でいずれか１つを含む請求項１４に記載の入力センシングモジュール。
【請求項２０】
前記ベース部材及び前記保護部材の各々は、ポリジメチルシロキサンフィルム（ＰＤＭＳ、ｐｏｌｙｄｉｍｅｔｈｙｌｓｉｌｏｘａｎｅ）、プラスチックフィルム、自己復元フィルム、織物、及びレザーの中でいずれか１つを含む請求項１４に記載の入力センシングモジュール。
【発明の詳細な説明】
【技術分野】
【０００１】
本発明は使用者認証装置、その入力センシングモジュール、及び使用者認証方法に係り、さらに詳細には使用者の手のひら情報を検出する使用者認証装置、その入力センシングモジュール、及び使用者認証方法に係る。
【背景技術】
【０００２】
使用者が電子機器、自動車、ビルディング等に接近するために、電子機器、自動車、ビルディング等は使用者に使用者認証を要求する。電子機器は秘密番号入力を要求することが一般的であり、自動車は自動車キーの所持（ｐｏｓｓｅｓｓｉｏｎ）を要求することが一般的であり、ビルディングは認証キーの所持又は秘密番号入力を要求することが一般的である。
【０００３】
前記使用者認証は全て使用者に別の認証手続を要求する。即ち、使用者は認証手続を遂行するために特定な行動を実施する。
【先行技術文献】
【特許文献】
【０００４】
【特許文献１】米国特許第８１５０５７３号明細書
【特許文献２】米国特許第８５３８０９０号明細書
【特許文献３】韓国登録特許第１０−０９８３６２２号公報
【特許文献４】韓国登録特許第１０−１１１９７５４号公報
【特許文献５】韓国登録特許第１０−１４１４００２号公報
【特許文献６】韓国公開特許第１０−２０１４−００６２２６９号公報
【特許文献７】韓国公開特許第１０−２０１４−０１２９７１０号公報
【特許文献８】米国特許出願公開第２０１５／０２９１０３２号明細書
【発明の概要】
【発明が解決しようとする課題】
【０００５】
本発明の目的は使用者の自然な行動から正確な使用者認証が可能な使用者認証装置を提供することにある。
【０００６】
本発明の他の目的は使用者認証装置に具備された入力センシングモジュールを提供することにある。
【０００７】
本発明のその他の目的は使用者が認知できない状態で使用者認証が可能な使用者認証方法を提供することにある。
【課題を解決するための手段】
【０００８】
本発明の一実施形態に係る使用者認証装置は入力センシングモジュール及び制御モジュールを含む。入力センシングモジュールは手のひらが入力される立体形状のセンシング面を含み、制御モジュールは使用者手のひら情報と前記入力センシングモジュールからセンシングされた入力手のひら情報とを比較して基準個数以上の情報が一致する時、認証信号を出力する。
【０００９】
前記入力センシングモジュールは、フレキシブルベース部材、前記フレキシブルベース部材上に配置された複数個のセンシング電極及び前記フレキシブルベース部材上に配置され、前記センシング面を有し、前記複数個のセンシング電極を保護するフレキシブル保護部材を含むことができる。
【００１０】
前記フレキシブルベース部材は第１平均曲率を有する第１ベース部分及び前記第１平均曲率より小さい第２平均曲率を有する第２ベース部分を含む。前記複数個のセンシング電極は前記第１ベース部分に配置された第１センシング電極及び前記第２ベース部分に配置された第２センシング電極を含む。前記第１センシング電極は第１ピッチを有し、前記第２センシング電極は前記第１ピッチより大きい第２ピッチを有することができる。
【００１１】
前記保護部材は前記第１ベース部分に対応する第１保護部分及び前記第２ベース部分に対応する第２保護部分を含むことができる。
【００１２】
前記複数個のセンシング電極は前記手のひらに静電結合することができる。
【００１３】
前記複数個のセンシング電極の各々はグラフェン、炭素ナノチューブ、金属ナノワイヤ、及び伝導性高分子の中でいずれか１つ以上を含むことができる。
【００１４】
前記複数個のセンシング電極は圧電物質（ｐｉｅｚｏ−ｅｌｅｃｔｒｉｃ  ｍａｔｅｒｉａｌｓ）、カーボンパウダー、ＱＴＣ（Ｑｕａｎｔｕｍ  Ｔｕｎｎｅｌｌｉｎｇ  Ｃｏｍｐｏｓｉｔｅ）、シルバーナノパーティクル、単結晶又は多結晶シリコン、及び電気活性高分子の中でいずれか１つを含むことができる。
【００１５】
前記フレキシブルベース部材及び前記保護部材の各々は、ポリジメチルシロキサンフィルム（ＰＤＭＳ、ｐｏｌｙｄｉｍｅｔｈｙｌｓｉｌｏｘａｎｅ）、プラスチックフィルム、自己復元フィルム、織物、及びレザーの中でいずれか１つを含むことができる。
【００１６】
前記制御モジュールは、前記入力センシングモジュールから受信したセンシング信号から前記入力手のひら情報を生成する信号処理部、前記使用者手のひら情報を格納するメモリ、前記使用者手のひら情報と前記入力手のひら情報を比較し、比較結果にしたがって前記認証信号を生成する情報判定部、及び前記認証信号を送信する認証信号伝送部を含むことができる。
【００１７】
前記使用者手のひら情報は指の長さ及び形状、ナックルの幅、手相（ｐａｌｍ  ｌｉｎｅｓ）の形状及び長さ、ナックルの中で隣接するナックル間の長さ、及び指の中で隣接する指の対応するナックル間の連関関係を含むことができる。
【００１８】
本発明の一実施形態に係る使用者認証方法は入力センシングモジュールの立体形状のセンシング面に発生した使用者の手のひらによる入力をセンシングする段階、前記入力センシングモジュールからセンシングされた入力手のひら情報とメモリに既に格納された使用者手のひら情報を比較する段階、及び前記使用者手のひら情報と前記入力手のひら情報が基準個数以上一致する時、認証信号を生成する段階を含むことができる。
【００１９】
前記使用者手のひら情報は指長さ、手のひらの中で凹んだ部分の面積、ナックルの幅、手相の形状及び長さ、ナックルの中で隣接するナックル間の長さ、及び指の中で隣接する指の対応するナックル間の連関関係を含むことができる。本発明の一実施形態に係る使用者認証方法は前記外部の電子モジュールに前記認証信号を送信する段階をさらに含むことができる。
【００２０】
本発明の一実施形態に係る入力センシングモジュールはフレキシブルベース部材、前記ベース部材上に配置された複数個のセンシング電極及び前記フレキシブルベース部材上に配置され、手のひらが入力される立体形状のセンシング面を有し、前記複数個のセンシング電極を保護するフレキシブル保護部材を含むことができる。
【００２１】
前記フレキシブルベース部材は第１平均曲率を有する第１ベース部分及び前記第１平均曲率より小さい第２平均曲率を有する第２ベース部分を含み、前記複数個のセンシング電極は前記第１ベース部分に配置された第１センシング電極及び前記第２ベース部分に配置された第２センシング電極を含み、前記第１センシング電極は第１ピッチを有し、前記第２センシング電極は前記第１ピッチより大きい第２ピッチを有することができる。
【００２２】
前記保護部材は前記第１ベース部分に対応する第１保護部分及び前記第２ベース部分に対応する第２保護部分を含むことができる。
【００２３】
前記複数個のセンシング電極は前記入力された手のひらと静電結合することができる。前記複数個のセンシング電極の各々はグラフェン、炭素ナノチューブ、金属ナノワイヤ、導電性繊維及び伝導性高分子の中でいずれか１つ以上を含むことができる。
【００２４】
前記複数個のセンシング電極の各々は圧電物質（ｐｉｅｚｏ−ｅｌｅｃｔｒｉｃ  ｍａｔｅｒｉａｌｓ）、カーボンパウダー、ＱＴＣ（Ｑｕａｎｔｕｍ  Ｔｕｎｎｅｌｌｉｎｇ  Ｃｏｍｐｏｓｉｔｅ）、シルバーナノパーティクル、単結晶又は多結晶シリコン、及び電気活性高分子の中でいずれか１つを含むことができる。
【００２５】
前記フレキシブルベース部材及び前記保護部材の各々は、ポリジメチルシロキサンフィルム（ＰＤＭＳ、ｐｏｌｙｄｉｍｅｔｈｙｌｓｉｌｏｘａｎｅ）、プラスチックフィルム、自己復元フィルム、織物、及びレザーの中でいずれか１つを含むことができる。
【発明の効果】
【００２６】
上述したことによれば、使用者が認知できない状態で使用者認証が可能である。再び言えば、使用者の自然な行動中に使用者認証が実施されることができる。
【００２７】
センシング面の曲率にしたがってセンシング電極のピッチを異なりにすることによって、認証正確度が向上されることができる。大きい曲率を有する部分に小さいピッチのセンシング電極を配置することによって、ストレスによるセンシング電極の損傷を防止することができる。
【図面の簡単な説明】
【００２８】
【図１】本発明の一実施形態に係る使用者認証システムのブロック図である。
【図２】本発明の一実施形態に係る使用者認証システムが適用された自動車を図示した。
【図３】本発明の一実施形態に係る使用者認証システムが適用された自動車を図示した。
【図４】本発明の一実施形態に係る使用者認証方法を示したフローチャートである。
【図５】本発明の一実施形態に係る使用者認証装置の制御モジュールのブロック図である。
【図６Ａ】本発明の一実施形態に係る信号処理方法を図示した。
【図６Ｂ】使用者の手のひら情報を図示した。
【図７Ａ】本発明の一実施形態に係る入力センシングモジュールに配置された使用者の指を図示した。
【図７Ｂ】本発明の一実施形態に係る入力センシングモジュールに配置された使用者の指を図示した。
【図８Ａ】本発明の使用者認証装置が適用された自動車の構成を図示した。
【図８Ｂ】図８Ａに図示された自動車の構成に設置される入力センシングモジュールを図示した。
【図８Ｃ】図８ＢのＩ−Ｉ’に沿う断面を図示した。
【図８Ｄ】本発明の一実施形態に係る入力センシングモジュールの開けた状態を図示した。
【図９Ａ】使用者が図８Ａに図示された自動車の構成を把持する多様な形態を図示した。
【図９Ｂ】使用者が図８Ａに図示された自動車の構成を把持する多様な形態を図示した。
【図９Ｃ】使用者が図８Ａに図示された自動車の構成を把持する多様な形態を図示した。
【図１０Ａ】自動車の構成の形態にしたがう本発明の一実施形態に係る入力センシングモジュールの形態を比較図示した。
【図１０Ｂ】自動車の構成の形態にしたがう本発明の一実施形態に係る入力センシングモジュールの形態を比較図示した。
【図１０Ｃ】自動車の構成の形態にしたがう本発明の一実施形態に係る入力センシングモジュールの形態を比較図示した。
【発明を実施するための形態】
【００２９】
本発明は多様な変更を加えることができ、様々な形態を有し得り、特定な実施形態を図面に例示して本文で詳細に説明する。しかし、これは本発明を特定な開示形態に対して限定しようとすることではなく、本発明の思想及び技術範囲に含まれるすべての変更、均等物乃至代替物を含むこととして理解されるべきである。
【００３０】
図面では様々な層及び領域を明確に表現するために一部の構成要素のスケールを誇張するか、或いは縮小して示した。明細書全体にわたって類似な参照符号は類似な構成要素を称する。そして、所定の層が他の層の‘上に’形成される（配置される）はことは、２つの層が接している場合のみならず、２つの層の間に他の層が存在する場合も含む。また、図面で所定の層の一面が平らに図示されたが、必ず平らであることを要求しなく、積層工程で下部層の表面形状によって上部層の表面に段差が発生することもあり得る。
【００３１】
図１は本発明の一実施形態に係る使用者認証システムＵＩＳのブロック図である。図２及び図３は本発明の一実施形態に係る使用者認証システムＵＩＳが適用された自動車ＶＨを図示した。図４は本発明の一実施形態に係る使用者認証方法を示したフローチャートである。
【００３２】
本実施形態で、使用者認証システムＵＩＳが適用されることができる装置として、自動車ＶＨを例示的に図示したが、本発明はこれに制限されない。本発明の一実施形態に係る使用者認証システムＵＩＳは使用者認証が必要であるその他の装置に適用されることができる。
【００３３】
本実施形態に係る使用者認証システムＵＩＳは使用者認証装置１００及び使用者認証装置１００と連動される電子装置制御システム１０００を含む。本実施形態で電子装置制御システム１０００は自動車制御システムである。
【００３４】
使用者認証装置１００は入力センシングモジュール１１０と制御モジュール１２０とを含む。入力センシングモジュール１１０は使用者の手のひらが接触するセンシング面を提供する。入力センシングモジュール１１０はセンシング面に発生した手のひらの入力をセンシングする。ここで、“手のひらの入力”とは“開いた手のひらによって入力センシングモジュール１１０のセンシング面に発生した軽いタッチ、開けた手のひらによって入力センシングモジュール１１０のセンシング面に発生した所定の圧力を印加したタッチ、手のひらで入力センシングモジュール１１０のセンシング面を握る形態のタッチ、手のひらの一部分によって入力センシングモジュール１１０のセンシング面に発生した軽いタッチ、手のひらの一部分によって入力センシングモジュール１１０のセンシング面に圧力を印加したタッチ、又は手のひらの一部分による入力センシングモジュール１１０のセンシング面を握る形態のタッチ”等を含む。
【００３５】
制御モジュール１２０は入力センシングモジュール１１０から電気的信号（例えば、センシング信号）を受信する。制御モジュール１２０はセンシング信号から手のひら情報（以下、入力手のひら情報）を検出する。制御モジュール１２０は既に格納された使用者手のひら情報と入力手のひら情報とを比較し、比較結果にしたがって認証信号を出力する。
【００３６】
使用者認証装置１００は自動車ＶＨの多様な構成に設置されることができる。図２に図示されたように、使用者認証装置１００はドアグリップＤＧに設置されることができる。図３に図示されたように、使用者認証装置１００はハンドルＨＤ、変速機レバーＴＲ、コンソールボックスＣＢ、サイドブレークＳＢの中で少なくともいずれか１つ以上に設置されることができる。入力センシングモジュール１１０はドアグリップＤＧ、ハンドルＨＤ、変速機レバーＴＲ、コンソールボックスＣＢ、サイドブレークＳＢの外形に対応する形状のセンシング面を提供する。即ち、入力センシングモジュール１１０は立体形状のセンシング面を提供する。これに対する詳細な説明は後述する。
【００３７】
自動車制御システム１０００は中央制御モジュール１１００、メモリ１２００、及び機能的電子モジュール１３００を含む。機能的電子モジュール１３００は電源制御モジュール１３００−１、運転制御モジュール１３００−２、音響制御モジュール１３００−３、保安制御モジュール１３００−４、便宜仕様制御モジュール１３００−５等を含む。機能的電子モジュール１３００の種類はこれに制限されない。
【００３８】
中央制御モジュール１１００は機能的電子モジュール１３００の動作を始めとして自動車の全般的な動作を制御する。中央制御モジュール１１００は使用者認証装置１００から認証信号を受信する。中央制御モジュール１１００は認証信号受信のために、使用者認証装置１００の送信機に対応する受信機を含む。中央制御モジュール１１００と使用者認証装置１００とは有線／無線で認証信号を送信／受信する。
【００３９】
メモリ１２００は自動車オーナーが設定した自動車の保安情報、機能的電子モジュール１３００の設定情報、スマートキーの情報、複数の運転者に対応するように設定された便宜仕様情報等を格納することができる。自動車オーナーは複数の運転者の中で一人であり得る。
【００４０】
電源制御モジュール１３００−１は自動車に具備された電子モジュールに電源を供給し、運転制御モジュール１３００−２は変速機レバーＴＲ、サイドブレークＳＢ、ハンドルＨＤ等の動作を制御する。音響制御モジュール１３００−３はオーディオを含む音響装置を制御し、保安制御モジュール１３００−４はドア及びウインドーのロックとロック解除を制御する。便宜仕様制御モジュール１３００−５は自動車ＶＨの室内に設置された多様な電子装置の動作を制御する。例えば、便宜仕様制御モジュール１３００−５はナビゲーションＮＶのオンオフ、運転者シートＳＴの高低、ラジオＲＤのチャンネル、エアコンＡＣの設定温度等を制御することができる。便宜仕様制御モジュール１３００−５の種類はこれに制限されない。
【００４１】
以下、図４を参照して使用者認証方法を説明する。先ず、使用者の手のひらによる入力をセンシングする（Ｓ１０）。ここで、使用者は運転者シートに座った人である。使用者は運転者シートに進入する過程でドアグリップＤＧを握る。その他に使用者は運転者シートに座った後、自動車の始動を実施する過程で室内の多様な構成、例えば、ハンドルＨＤ、変速機レバーＴＲ、サイドブレークＳＢ、及びコンソールボックスＣＢ等をタッチするか、或いは握る。自動車の構成に設置された入力センシングモジュール１１０は使用者の入力を感知し、センシング信号を出力する。
【００４２】
入力センシングモジュール１１０から受信したセンシング信号に基づいて入力手のひら情報を検出する（Ｓ２０）。制御モジュール１２０は受信された電気的信号をデジタル信号に変換した後、デジタル信号を映像処理して入力手のひら情報を検出する。
【００４３】
検出された入力手のひら情報と既に格納された手のひら情報を比較する（Ｓ３０）。比較の結果、検出された入力手のひら情報と既に格納された手のひら情報が一致しなければ、再び手のひら入力をセンシングする（Ｓ１０）。制御モジュール１２０は入力センシングモジュール１１０から新しいセンシング信号を読み出す。比較結果、検出された入力手のひら情報と既に格納された手のひら情報が基準個数以上一致すれば、制御モジュール１２０は認証信号を生成した後、出力する（Ｓ４０）。基準個数は自動車オーナーが自動車制御システム１０００を通じて設定することができる。
【００４４】
上述したことによれば、使用者が自動車に搭乗する行動及び使用者が始動を実施する過程で発生した自然な行動中に使用者認証が実施されることができる。本実施形態に係る使用者認証方法は使用者認証のために使用者に特定な行動を要求しない。
【００４５】
使用者認証が完了されれば、中央制御モジュール１１００は機能的電子モジュール１３００を動作させる（Ｓ５０）。例えば、運転制御モジュール１３００−２は自動車ドライビングモードを実行する（Ｓ５１）。保安制御モジュール１３００−４はドアロックを解除する（Ｓ５２）。中央制御モジュール１１００は受信された認証信号とメモリ１２００に格納された複数の運転者に対する情報をマッチングさせた後、マッチングされた運転者に対応するように設定された便宜仕様情報にしたがって便宜仕様制御モジュール１３００−５を動作させる（Ｓ５３）。例えば、設定にしたがってシートＳＴの高低を調節するか、或いはエアコンＡＣを稼働し、ラジオＲＤの周波数を設定することができる。
【００４６】
図５は本発明の一実施形態に係る使用者認証装置の制御モジュール１２０のブロック図である。図６Ａは本発明の一実施形態に係る信号処理方法を図示した。図６Ｂは使用者の手のひら情報を図示した。図７Ａ及び図７Ｂは本発明の一実施形態に係る入力センシングモジュール１１０に配置された使用者の指を図示した。
【００４７】
図５に図示されたように、本発明の一実施形態に係る制御モジュール１２０は信号処理部１２１、メモリ１２２、情報判定部１２３、及び認証信号伝送部１２４を含む。本発明の一実施形態で、中央制御モジュール１１００と使用者認証装置１００とは有線で認証信号を送／受信することができ、この時、認証信号伝送部１２４は省略されることができる。
【００４８】
信号処理部１２１は入力センシングモジュール１１０から受信したセンシング信号から入力手のひら情報を生成する。即ち、信号処理部１２１は入力センシングモジュール１１０に入力された手のひらの情報を生成する。
【００４９】
メモリ１２２は使用者の手のひら情報を格納する。メモリ１２２は複数の使用者の手のひら情報を各々格納することができる。
【００５０】
情報判定部１２３はメモリ１２２に格納された使用者手のひら情報と入力手のひら情報とを比較する。情報判定部１２３は比較結果にしたがって認証信号を生成し、認証信号を出力する。
【００５１】
認証信号伝送部１２４は認証信号を受信する。認証信号伝送部１２４は認証信号を中央制御モジュール１１００（図１参照）に送信するのに適合な形態に変換した後、変換された信号を送信する。認証信号伝送部１２４はブルートゥース（登録商標）モジュール、近距離通信モジュール、ジグビー通信モジュール等を含むことができる。
【００５２】
図６Ａ及び図６Ｂを参照して信号処理部１２１で実施する信号処理に対してさらに詳細に説明する。
【００５３】
図６Ａに図示されたように、使用者手のひらＵＨが入力センシングモジュールのセンシング面ＳＳに入力される。図６Ａにはセンシング面ＳＳに対応して配置された複数個のセンシング電極ＳＥを図示した。複数個のセンシング電極ＳＥの中で使用者手のひらＵＨに重畳したセンシング電極ＳＥはセンシング信号を出力する。使用者手のひらＵＨとセンシング面ＳＳとが接触する形態にしたがってセンシング電極ＳＥは互いに異なるセンシング信号を出力することができる。信号処理部１２１は受信されたセンシング信号を映像処理して手のひらイメージを獲得する。信号処理部１２１は手のひらのイメージから使用者の手のひら特徴を取出する。取出された手のひらの特徴が入力手のひら情報を構成する。
【００５４】
図６Ｂは手のひらから獲得できる手のひら情報を具体的に図示した。図６Ｂに図示された手のひら情報が使用者手のひら情報としてメモリ１２２に格納される。図６Ｂに図示された手のひら情報は信号処理部１２１によって入力手のひら情報として検出される。
【００５５】
手のひら情報は指の長さ及び形状、ナックルの幅、手相（ｐａｌｍ  ｌｉｎｅｓ）の形状及び長さ、ナックルの中で隣接するナックル間の長さ、及び指の中で隣接する指の対応するナックル間の連関関係を含む。
【００５６】
図６Ｂに図示されたように、親指Ｆ１は２つのナックルＦ１−Ｐ１及びＦ１−Ｐ２を含む。人差し指Ｆ２乃至小指Ｆ５の各々は３つのナックルＦ２−Ｐ１乃至Ｆ５−Ｐ３を含む。
【００５７】
人差し指Ｆ２乃至小指Ｆ５の長さの各々は第３番目ナックルＦ２−Ｐ３乃至Ｆ５−Ｐ３から指の終端Ｆ２−Ｅ乃至Ｆ５−Ｅの間の長さで測定される。人差し指Ｆ２乃至小指Ｆ５の形状は図６Ａに図示された手のひらイメージのように獲得されることができる。
【００５８】
指Ｆ１乃至Ｆ５のナックルＦ１−Ｐ１及びＦ５−Ｐ３の幅の各々は入力手のひら情報を構成することができる。人差し指Ｆ２乃至小指Ｆ５の互いに対応するナックルの幅、例えば第１番目ナックルＦ２−Ｐ１、Ｆ２−Ｐ２、Ｆ２−Ｐ３、Ｆ２−Ｐ４、Ｆ２−Ｐ５の幅は１つの認証情報グループを構成することができる。ここで、ナックルの広さとは、ナックル線の延長方向に沿う長さとして定義される。
【００５９】
図６Ｂに図示されたように、手相ＰＬ１、Ｐｌ２、ＰＬ３の形状及び長さは入力手のひら情報を構成する。ナックルＦ１−Ｐ１及びＦ５−Ｐ３の中で隣接するナックル間の長さＦＰＬもやはり手のひら情報を構成する。
【００６０】
手のひら情報は指の中で隣接する指の対応するナックル間の連関関係を含む。例えば、連続する指の第１番目のナックルＦ１−Ｐ１、Ｆ２−Ｐ１、Ｆ３−Ｐ１、Ｆ４−Ｐ１、Ｆ５−Ｐ１の間の離隔距離が手のひら情報を構成することができる。前記離隔距離は指の延長方向で測定される。図６Ｂには中指Ｆ３の第１番目のナックルＦ３−Ｐ１と薬指Ｆ４の第１番目のナックルＦ４−Ｐ１との間の距離ＳＬを例示的に表示した。
【００６１】
図７Ａ及び図７Ｂを参照してセンシング電極ＳＥから出力されるセンシング信号をさらに具体的に説明する。図７Ａ及び図７Ｂには入力センシングモジュール１１０上に配置された１つの指ＵＦを例示的に図示した。指の２つのナックルＵＦ−Ｐを図示した。
【００６２】
図７Ａに図示されたセンシング電極ＳＥは指ＵＦと静電結合される。センシング電極ＳＥが検出信号（ｄｅｔｅｃｔｉｎｇ  ｓｉｇｎａｌ）を受信すれば、指ＵＦと静電結合されることによって、キャパシターを形成する。つまり、入力センシングモジュール１１０は静電容量式タッチパネルである。センシング電極ＳＥは通常の静電容量式タッチパネルの電極を構成する導電性物質を含むことができる。
【００６３】
センシング電極ＳＥは、例えば、２つのグループに区分されることができる。指の３つのナックルＵＦ−Ｐに重畳するセンシング電極ＳＥは第１グループに、残るセンシング電極ＳＥは第２グループに区分されることができる。
【００６４】
第１グループのセンシング電極ＳＥと第２グループのセンシング電極ＳＥとは指ＵＦと互いに異なる容量のキャパシターを形成する。したがって、第１グループのセンシング電極ＳＥと第２グループのセンシング電極ＳＥとは互いに異なるセンシング信号を出力する。信号処理部１２１（図５参照）は受信されたセンシング信号の電圧レベル又は時常数等に基づいて２つのナックルＵＦ−Ｐの情報を獲得する。
【００６５】
図７Ｂに図示されたセンシング電極ＳＥは指ＵＦが印加する圧力にしたがって互いに異なる互いに異なるセンシング信号を出力する。センシング電極ＳＥは印加された圧力に対応するように抵抗が変化される物質を含む。即ち、センシング電極ＳＥは圧力感知センサーである。
【００６６】
第１グループのセンシング電極ＳＥと第２グループのセンシング電極ＳＥとは互いに異なる抵抗変化率を有し、それにしたがって第１グループのセンシング電極ＳＥと第２グループのセンシング電極ＳＥとは互いに異なるセンシング信号を出力する。信号処理部１２１（図５参照）は受信されたセンシング信号の電圧レベル又は電流強さ等に基づいて２つのナックルＵＦ−Ｐの情報を獲得する。
【００６７】
図８Ａは本発明の使用者認証装置が適用された自動車の構成ＴＲを図示した。図８Ｂは図８Ａに図示された自動車の構成に設置される入力センシングモジュール１１０を図示した。図８Ｃは図８ＢのＩ−Ｉ’に沿う断面を図示した。図８Ｄは本発明の一実施形態に係る入力センシングモジュール１１０の開けた状態を図示した。本実施形態で自動車の構成として変速機レバーＴＲを例示的に図示した。
【００６８】
変速機レバーＴＲのような自動車の構成は運転者が把持することができる立体形状を有する。入力センシングモジュール１１０は変速機レバーＴＲの外部形状に対応する形状を有する。入力センシングモジュール１１０は立体形状のセンシング面ＳＳを提供する。センシング面ＳＳは変速機レバーＴＲの外面と似た立体形状を提供する。
【００６９】
入力センシングモジュール１１０が変速機レバーＴＲに設置された構造は特別に制限されない。例えば、入力センシングモジュール１１０は変速機レバーＴＲの外面に結合されることができる。また、入力センシングモジュール１１０は変速機レバーＴＲの構成の中で１つである。変速機レバーＴＲを製造する過程で入力センシングモジュール１１０を変速機レバーＴＲの外装材（ｅｘｔｅｒｉｏｒ  ｃｏｎｆｉｇｕｒａｔｉｏｎ）に適用することができる。
【００７０】
以下、図８Ｃ及び図８Ｄを参照して入力センシングモジュール１１０の構造に対してさらに詳細に説明する。
【００７１】
図８Ｃ及び図８Ｄに図示されたように、入力センシングモジュール１１０はフレキシブルなベース部材ＢＭ、ベース部材ＢＭ上に配置された複数個のセンシング電極ＳＥ、及びベース部材ＢＭ上に配置され複数個のセンシング電極ＳＥを保護するフレキシブルな保護部材ＰＭを含む。保護部材ＰＭは立体形状のセンシング面ＳＳを提供する。
【００７２】
別に図示せずが、入力センシングモジュール１１０は複数個のセンシング電極ＳＥに連結された複数個の信号配線をさらに含むことができる。複数個の信号配線を通じて複数個のセンシング電極ＳＥに検出信号を提供するか、或いはセンシング信号を読出しすることができる。また、制御モジュール１２０（図１参照）は集積化されたチップの形態にフレキシブル回路基板を通じて信号配線と電気的に連結されることができる。
【００７３】
ベース部材ＢＭ及び保護部材ＰＭの各々はフレキシブルな部材であれば、十分である。ベース部材ＢＭ及び保護部材ＰＭの各々はポリジメチルシロキサンフィルム（ＰＤＭＳ、ｐｏｌｙｄｉｍｅｔｈｙｌｓｉｌｏｘａｎｅ）、プラスチックフィルム、自己復元フィルム、織物、及びレザーの中でいずれか１つを含むことができる。
【００７４】
センシング電極ＳＥの材料は入力センシングモジュール１１０の外部入力感知方式にしたがって決定されることができる。入力センシングモジュール１１０は図７Ａを参照して説明したように静電容量方式に外部入力を感知するか、或は図７Ｂを参照して説明したように圧力感知方式に外部入力を感知することができる。
【００７５】
静電容量方式のセンシング電極ＳＥは導電性物質を含めば、十分である。静電容量方式のセンシング電極ＳＥは柔軟性が高い伝導性物質、例えばグラフェン、炭素ナノチューブ、金属ナノワイヤ、導電性繊維及び伝導性高分子の中でいずれか１つ以上を含むことが望ましい。
【００７６】
圧力感知方式のセンシング電極ＳＥは印加された圧力に対応するように抵抗が変化される物質を含むことができる。例えば、センシング電極ＳＥは圧電物質（ｐｉｅｚｏ−ｅｌｅｃｔｒｉｃ  ｍａｔｅｒｉａｌｓ）、カーボンパウダー、ＱＴＣ（Ｑｕａｎｔｕｍ  Ｔｕｎｎｅｌｌｉｎｇ  Ｃｏｍｐｏｓｉｔｅ）、シルバーナノパーティクル、単結晶又は多結晶シリコン、電気活性高分子等を含むことができる。炭素ナノチューブ、グラフェン、又は金属ナノワイヤーは柔軟した同時に印加された圧力にしたがって抵抗が変化される物質であるので、圧力感知方式のセンシング電極ＳＥを構成することもあり得る。
【００７７】
センシング電極ＳＥの形状は特別に制限されない。センシング電極ＳＥは２種の電極を含んでもよい。静電容量方式のセンシング電極ＳＥは感知方式（ｓｅｌｆ−ｃａｐ方式又はｍｕｔｕａｌ−ｃａｐ方式）にしたがって１種の電極を含むか、或は２種の電極を含んでもよい。
【００７８】
図８Ｃ及び図８Ｄに図示されたように、入力センシングモジュール１１０は平均曲率にしたがって区分される複数個の部分を含むことができる。複数個の部分は複数個の変曲部分（ｖａｒｉａｔｉｏｎ  ｐｏｒｔｉｏｎ）を含む。平面部分もやはり前記複数個の部分の一部を構成する。本実施形態で２つの部分に区分される入力センシングモジュール１１０を例示的に図示した。入力センシングモジュール１１０が２つの部分に区分されることによってベース部材ＢＭ及び保護部材ＰＭもやはりそれに対応するように２つの部分に区分されることができる。
【００７９】
入力センシングモジュール１１０は第１平均曲率を有する第１部分Ｐ１及び前記第１平均曲率より小さい第２平均曲率を有する第２部分Ｐ２を含むことができる。ベース部材ＢＭは第１部分Ｐ１及び第２部分Ｐ２に各々対応する第１ベース部分と第２ベース部分とを含み、保護部材ＰＭは第１部分Ｐ１及び第２部分Ｐ２に各々対応する第１保護部分と第２保護部分を含む。
【００８０】
複数個のセンシング電極ＳＥは第１部分Ｐ１に配置された第１センシング電極ＳＥ１及び第２部分Ｐ２に配置された第２センシング電極ＳＥ２を含む。第１センシング電極ＳＥ１は第１ピッチＰＣ１を有し、第２センシング電極ＳＥ２は第１ピッチＰＣ１より大きい第２ピッチＰＣ２を有する。第１ピッチＰＣ１及び第２ピッチＰＣ２の各々は電極の幅及び隣接する２つの電極間の間隔の合計として定義される。第１ピッチＰＣ１及び第２ピッチＰＣ２もやはり平均値であり、第１センシング電極ＳＥ１のピッチが全て同一であることとして制限されない。第２センシング電極ＳＥ２のピッチもやはり全て同一のことと制限されない。
【００８１】
平均曲率が大きい部分に小さいピッチのセンシング電極が配置されることによって、変曲部分（ｖａｒｉａｔｉｏｎ  ｐｏｒｔｉｏｎ）に入力された手のひらの一部分の情報を精密に検出することができる。したがって、入力センシングモジュール１１０が立体形状を有しても領域に関わらず、センシング感度が向上されることができる。大きい曲率を有する部分に小さいピッチにセンシング電極が配置されることによって、ストレスによるセンシング電極の損傷を防止することができる。
【００８２】
図９Ａ乃至図９Ｃは使用者が図８Ａに図示された自動車の構成を把持する多様な形態を図示した。使用者が自動車に搭乗して遂行する行動は一定でないので、使用者は図９Ａ乃至図９Ｃに図示されたように多様な形態に変速機レバーＴＲを把持することができる。
【００８３】
本発明によれば、使用者の自然な行動中に使用者認証が実行される。多様な形態に把持しても同一の使用者認証が実行されるので、使用者は使用者認証が実行されたかを認知できない。
【００８４】
図９Ａ乃至図９Ｃに図示されたように、多様な形態に把持しても、図６Ｂを参照して説明した全体の手のひら情報の中でいくつかの情報が入力センシングモジュール１１０に入力される。把持形態にしたがって他の認証情報グループが入力センシングモジュール１１０に入力される。メモリ１２２（図５参照）に格納された全体の手のひら情報と把持形態にしたがって入力された手のひら情報とを比較し、基準個数以上の情報が一致することと判定されれば、認証信号が発生する。そのため、多様な形態に把持しても、一定な使用者認証が実施されることができる。
【００８５】
図１０Ａ乃至図１０Ｃは自動車の構成の形態にしたがう本発明の一実施形態に係る入力センシングモジュール１１０−１、１１０−２、１１０−３の形態を比較して図示した。
【００８６】
図１０Ａに図示されたように、ドアグリップＤＧには蓋形状の入力センシングモジュール１１０−１が設置されることができる。図１０Ｂに図示されたように、ハンドルＨＤには一部分が切開されたリング形状の入力センシングモジュール１１０−２が設置されることができる。図１０Ｃに図示されたように、サイドブレークＳＢにはトンネル形状の入力センシングモジュール１１０−３が設置されることができる。
【００８７】
このように、入力センシングモジュール１１０−１、１１０−２、１１０−３は自動車の構成の形状に対応する立体形状を有すれば十分であり、特別に制限されない。
【００８８】
以上では本発明の望ましい実施形態を参照して説明したが、該当技術分野の熟練された当業者又は該当技術分野に通常の知識を有する者であれば、後述される特許請求の範囲に記載された本発明の思想及び技術領域から逸脱しない範囲内で本発明を多様に修正及び変更させることを理解させることができる。
【００８９】
したがって、本発明の技術的範囲は明細書の詳細な説明に記載された内容に限定されることではなく、特許請求の範囲によって定まれなければならない。
【符号の説明】
【００９０】
１００       使用者認証装置
１１０       入力センシングモジュール
１２０       制御モジュール
１０００     自動車制御システム
１１００     中央制御モジュール
１２００     メモリ
１３００     便宜仕様制御モジュール
ＵＩＳ       使用者認証システム
ＶＨ 自動車
ＴＲ 変速機レバー
ＳＳ センシング面
ＳＥ センシング電極
【図１】
2017188091.tif 000003
【図２】
2017188091.tif 000004
【図３】
2017188091.tif 000005
【図４】
2017188091.tif 000006
【図５】
2017188091.tif 000007
【図６Ａ】
2017188091.tif 000008
【図６Ｂ】
2017188091.tif 000009
【図７Ａ】
2017188091.tif 000010
【図７Ｂ】
2017188091.tif 000011
【図８Ａ】
2017188091.tif 000012
【図８Ｂ】
2017188091.tif 000013
【図８Ｃ】
2017188091.tif 000014
【図８Ｄ】
2017188091.tif 000015
【図９Ａ】
2017188091.tif 000016
【図９Ｂ】
2017188091.tif 000017
【図９Ｃ】
2017188091.tif 000018
【図１０Ａ】
2017188091.tif 000019
【図１０Ｂ】
2017188091.tif 000020
【図１０Ｃ】
2017188091.tif 000021